(57)【要約】      （修正有）【課題】電子機器の筐体内への虫の侵入を防ぎ、虫の死骸による電子回路基板の誤動作等の虫害を防止する。【解決手段】電子機器の筐体に排気ファン１２１と吸気ファン１０５とを備え、これらによって筐体内に空気の流れを作る。吸気ファンによる吸気力を排気ファンの排気力よりも大きくして筐体内の気圧を外部より高くすることによって熱を放熱させるとともに、吸気ファンの近傍に防虫成分薬剤カートリッジ１０４を設置する。防虫成分薬剤カートリッジは着脱可能であり、容易にメンテナンスが可能である。【選択図】図４
2014238682.tif 000002
【特許請求の範囲】
【請求項１】
装置内に空気を導入する第１のファンと、装置内の空気を外部へ放出する第２のファンとを有する筐体で構成された電子機器であって、
前記第１のファンの装置外部側に防虫成分を有する気体を放出する防虫成分放出部を設け、前記筐体内に前記防虫成分を有する気体を充満させるとともに、前記筐体内の気圧を外部より高くさせたことを特徴とする電子機器。
【請求項２】
前記第１のファンの送風量を前記第２のファンの送風量よりも大きくすることによって、前記筐体内の気圧を外部より高くさせたことを特徴とする、請求項１に記載の電子機器。
【請求項３】
前記防虫成分放出部は、防虫成分を含む液体もしくは固体を充填させた、着脱可能なカートリッジで構成されていることを特徴とする、請求項１又は２に記載の電子機器。
【請求項４】
前記防虫成分放出部のカートリッジは、前記電子機器の側面もしくは前面からアクセスして着脱可能であることを特徴とする、請求項３に記載の電子機器。
【発明の詳細な説明】
【技術分野】
【０００１】
本発明は、パーソナルコンピュータに代表される制御装置等の電子機器における防虫構造に関する。
【背景技術】
【０００２】
従来、パーソナルコンピュータ等の電子機器では、内部で発生した熱に誘引されて小さな虫が装置の隙間から侵入し、その死骸が回路基板等に残り、場合によってはショートの原因となるなど、悪影響を及ぼすことがあった。特開平７−１５２４５５号公報（特許文献１）では、情報処理装置で発生する熱により、熱蒸発する性質を持つ殺虫剤を装填した殺虫装置を内蔵し、情報処理装置内部およびその周辺空間を虫害から守る構成が開示されている。
【先行技術文献】
【特許文献】
【０００３】
【特許文献１】特開平７−１５２４５５号公報
【発明の概要】
【発明が解決しようとする課題】
【０００４】
通常、電子機器は内部の発熱を外部に放熱するために、排気孔に設けたファンを回転させて外部に排気するようにしている。装置筐体は無数の隙間があるため、空気の流れとしては、これらの隙間から吸入された空気がファンによって排気孔から排出されることになる。
【０００５】
従って、電子機器に近づいた虫がこれらの隙間から侵入することとなり、特許文献１のような殺虫装置を内部に設けたとしても、排気ファンを用いて放熱する構成を採用すると、排気ファンより外側の空間については防虫効果が期待できるが、電子機器の内部についは、隙間から虫が侵入することを防止することができず、充分な虫害防止の効果を得ることができなかった。
【課題を解決するための手段】
【０００６】
上述した課題を解決し、目的を達成するために、本発明にかかる電子機器は、排気ファンと吸気ファンとによって空気の流れを作り、装置内の気圧を外部より高くすることによって装置内の熱を放熱させるとともに、吸気ファンの近傍に防虫成分薬剤カートリッジを設置することにより、防虫成分が気化して電子機器の内部に防虫成分が行き渡るとともに、電子機器の外部にも防虫成分が放出されることにより、電子機器内への虫の侵入を防ぐことができる。
【０００７】
また、防虫成分薬剤カートリッジは、電子機器を分解せずに交換できる仕組みを持ち、容易に防虫効果を継続することができる。
【発明の効果】
【０００８】
電子機器の放熱を行いながら、装置内への虫の侵入を防止することができる。
【図面の簡単な説明】
【０００９】
【図１】本発明の実施例における電子機器の構成図である。
【図２】本発明の実施例における電子機器の防虫成分薬剤カートリッジの取付部の構成例である。
【図３】本発明の実施例における電子機器の防虫成分薬剤カートリッジの取付部の他の構成例である。
【図４】本発明の実施例における電子機器の空気の流れを説明する図である）。
【図５】本発明の実施例における電子機器の他の空気の流れを説明する図である。
【発明を実施するための形態】
【００１０】
以下に添付図面を参照して、本発明にかかる電子機器の実施の形態を詳細に説明する。  図１は、本実施例における電子機器１００の構成例を示している。電子機器１００は、主な構成として、内部の直流電源を供給する電源ユニット１０２、電源ユニット１０２及び電子機器１００内の排熱のための冷却（排気）ファン１２１、ＣＰＵやメモリ、画像表示処理ＬＳＩ、周辺機器への接続のためのＵＳＢ等の制御ＬＳＩ、ネットワーク接続制御ＬＳＩ等の部品を実装したメイン制御基板１０３、メイン制御基板１０３上のＣＰＵの冷却ファン１３１、キーボードやマウス等の周辺機器を接続する為のＵＳＢコネクタ部１３２、ネットワーク接続用のＬＡＮコネクタ部１３３、画像表示出力信号用のコネクタ部１３４、電子機器１００内の空気に防虫成分を混在させるための交換可能な防虫成分薬剤カートリッジ１０４、電子機器１００内に冷却用の空気を送り込むための冷却（吸気）ファン１０５、電子機器１００の前部への排気部１０６、光学ドライブユニット１０７、ハードディスクドライブ１０８を備えている。
【００１１】
なお、後述のように、冷却（吸気）ファン１０５の吸気能力を冷却（排気）ファン１２１の排気能力よりも大きくなるようにしており、これにより、電子機器１００の内部の気圧が外部に比べて高くなっている。
【００１２】
メイン制御基板１０３に実装されている各種機能は本実施例で説明した機能に限定するものではなく、更なる機能の追加、または、機能を削減した、いずれでも構わない。また、メイン制御基板１０３に実装されているＵＳＢコネクタ部１３２、ＬＡＮコネクタ部１３３、画像表示出力信号用のコネクタ部１３４についても、メイン制御基板１０３の機能により、コネクタ部の追加または減少があっても構わない。
【００１３】
図２は、防虫成分薬剤カートリッジ１０４の取付・交換部の構成について説明するものである。図２において、（１）は防虫成分薬剤カードリッジ１０４を取り外した、もしくは、取り付け前の状態を示し、（２）は取り付けられた状態を示す。電子機器１００の正面寄りの側面に防虫成分薬剤カートリッジ１０４が出し入れ可能な通し穴１５０を設け、電子機器１００内には、通し穴から入れられた防虫成分薬剤カートリッジ１０４が進行方向にスムーズに吸気窓１０９に合わせた位置に移動できるようガイドを設ける。
【００１４】
上記構成により、防虫成分薬剤カートリッジ１０４を電子機器１００側面の通し穴１５０から挿入して内部へ取り込み、吸気窓１０９に合わせた位置に取り付けることが可能となる。防虫成分薬剤カートリッジ１０４については、防虫効果があればよく、その内部について、例えば、防虫成分薬剤が、液体またはそれが浸透した固体物から気化させるもののいずれでもよい。
【００１５】
図３は、防虫成分薬剤カートリッジ１０４の取付・交換部の他の構成例である。電子機器１００の正面の吸気窓１０９の周辺に、防虫成分薬剤カートリッジ１０４が取り付け可能な取付けガイド１６０を設ける。これにより、防虫成分薬剤カートリッジ１０４を正面の吸気窓１０９に合わせた位置に取り付けることが可能となる。
【００１６】
次に、図４を用いて、本実施例において、防虫成分を含んだ空気の流れを説明する。
【００１７】
電子機器１００の電源を投入すると、電源ユニット１０２から装置の各部に直流電源が供給され、冷却ファン１２１、冷却ファン１０５、ＣＰＵの冷却ファン１３１が回転を始める。この時、前述のように吸気の機能を持つ冷却ファン１０５の風量を排気の機能を持つ冷却ファン１２１よりも大きくする。
【００１８】
冷却ファン１０５は、電子機器１００外から空気４０１を吸入し、防虫成分薬剤カートリッジ１０４を通過して、防虫成分を含んだ空気５０１を電子機器１００の内部に供給する。ＣＰＵの冷却ファン３１は、ＣＰＵの冷却をするのと同時に電子機器１００内の空気を撹拌する。冷却ファン２１は、防虫成分を含んだ空気２０１を電源ユニット２通って電子機器１００から排出する（矢印２０２）。
【００１９】
このとき、吸気の機能を持つ冷却ファン１０５の風量を、排気の機能を持つ冷却ファン１２１よりも大きくしているため、電子機器１００内の気圧が外の気圧よりも高くなる。このため、前面の排気部１０６からも防虫成分を含んだ空気６０１が排出されることになる。
【００２０】
一方、電子機器１００には、前部への排気部１０６以外に、ＵＳＢコネクタ部１３２、ＬＡＮコネクタ部１３３、画像表示出力信号用のコネクタ部１３４の隙間をはじめ、その他にも、空気が通る無数の隙間がある。前述のように電子機器１００内の気圧が外の気圧よりも高いことから、これらの隙間からも防虫成分を含んだ空気３２１、３３１、３３４が排出され、その他の隙間からも防虫成分を含んだ空気３０１、３０２、３０３等が排出される。これにより、電子機器１００の周辺には防虫成分を含んだ空気が散布されるとともに、電子機器１００内の気圧が外部よりも高い状態となり、電子機器１００内への虫の侵入を防ぐことができる。
【００２１】
図４は図１の構成の変形例であり、図１の排気部１０６の位置に前面ＵＳＢコネクタ部６１、６２、６３を設けた電子機器１００Ａである。このような構成においても、図１と同様に防虫成分を含んだ空気６１１、６２１、６３１が排出されるため、電子機器１００Ａ内への虫の侵入を防ぐことができる。
【符号の説明】
【００２２】
１００：電子機器
１０２：電源ユニット
１２１：冷却ファン
１０３：メイン制御基板
１３１：ＣＰＵの冷却ファン
１３２：ＵＳＢコネクタ部  
１３３：ＬＡＮコネクタ部
１３４：画像表示出力信号用のコネクタ部
１０４：防虫成分薬剤カートリッジ
１０５：冷却ファン
１０６：前部への排気部
１６１：前面ＵＳＢコネクタ部
１６２：前面ＵＳＢコネクタ部
１６３：前面ＵＳＢコネクタ部
１０７：光学ドライブユニット
１０８：ハードディスクドライブ
１０９：吸気窓
【図１】
2014238682.tif 000003
【図２】
2014238682.tif 000004
【図３】
2014238682.tif 000005
【図４】
2014238682.tif 000006
【図５】
2014238682.tif 000007